(57)【要約】【課題】本発明は建築用組立パネルを提供する。【解決手段】本発明の建築用組立パネルは、内装材が充填される内部空間を有するように前面板と、後面板と、前記前面板と後面板との間の側面を取り囲む側面フレームと、前記内部空間に設置され、隣合うパネルとのファスナ締結のためのファスナ締結用案内部材とを含み、前記ファスナ締結用案内部材は、前記前面板と隣接した一端にファスナ挿入のための第１開口が形成され、前記側面フレームと隣接した他端にファスナのネジ部が前記隣合うパネルに締結されるようにファスナのネジ部が貫通される第２開口が形成され、前記第１開口から前記第２開口までファスナの移動のための通路が形成される。【選択図】図４
2010196465.tif 000002
【特許請求の範囲】
【請求項１】
建築用組立パネルにおいて、
第１面と、
前記第１面と平行でない第２面と、
前記第１面から前記第２面にファスナが通過することができる通路を提供するファスナ締結用案内部材とを含むことを特徴とする建築用組立パネル。
【請求項２】
前記ファスナ締結用案内部材は、
前記通路を有するパイプ形状の胴部を含み、
前記胴部の一端は前記第１面と隣接して位置し、前記胴部の他端は前記第２面に隣接して位置し、
前記胴部は前記一端と前記他端との間にラウンドの曲線部を有することを特徴とする請求項１に記載の建築用組立パネル。
【請求項３】
前記一端にはファスナが挿入されることができる大きさの第１開口が形成され、
前記他端にはファスナのネジ部が通過するように前記第１開口より小さい第２開口が形成されることを特徴とする請求項２に記載の建築用組立パネル。
【請求項４】
前記一端と前記他端は互いに垂直になることを特徴とする請求項１に記載の建築用組立パネル。
【請求項５】
建築用組立パネルにおいて、
内装材が充填される内部空間を有するように前面板と、後面板と、前記前面板と後面板との間の側面を取り囲む側面フレームと、
前記内部空間に設置され、隣合うパネルとのファスナ締結のためのファスナ締結用案内部材とを含み、
前記ファスナ締結用案内部材は、
前記前面板と隣接した一端にファスナ挿入のための第１開口が形成され、
前記側面フレームと隣接した他端にファスナのネジ部が前記隣合うパネルに締結されるようにファスナのネジ部が貫通される第２開口が形成され、
前記第１開口から前記第２開口までファスナの移動のための通路が形成されることを特徴とする建築用組立パネル。
【請求項６】
前記ファスナ締結用案内部材は、
該断面がパイプ形状であることを特徴とする請求項５に記載の建築用組立パネル。
【請求項７】
前記前面板は、
前記ファスナ締結用案内部材の一端と向き合う部分にファスナ挿入のための第１貫通口が形成され、
前記側面フレームは、
前記ファスナ締結用案内部材の他端が外部に露出するように第２貫通口が形成されることを特徴とする請求項５に記載の建築用組立パネル。
【請求項８】
前記ファスナ締結用案内部材は、
前記第２貫通口に挿入される挿入部と、
前記側面フレームの内側面に面接するフランジとをさらに含むことを特徴とする請求項７に記載の建築用組立パネル。
【請求項９】
前記ファスナはネジまたはボルトであることを特徴とする請求項５に記載の建築用組立パネル。
【請求項１０】
前記ファスナ締結用案内部材は、
前記一端と前記他端との間に曲線部分と直線部分とを含み、
前記曲線部分は前記一端に近く提供され、前記直線部分は前記他端に近く提供されることを特徴とする請求項５に記載の建築用組立パネル。
【請求項１１】
前記直線部分に該当する通路は前記曲線部分に該当する通路より狭いことを特徴とする請求項１０に記載の建築用組立パネル。
【請求項１２】
建築用組立パネルにおいて、
第１貫通孔を有する前面板と、
前記前面板と一定間隔離隔されて設置される後面板と、
前記前面板と前記後面板の端を取り囲むように設置され、第２貫通孔を有する側面フレームと、
前記第１貫通孔と前記第２貫通孔とを連結し、ファスナが通過する通路を有するファスナ締結用案内部材とを含むことを特徴とする建築用組立パネル。
【請求項１３】
前記ボルト締結用案内部材は、
ファスナが投入される第１開口を有し、前記前面板に隣接して位置する一端と、
ファスナのネジ部が通過する第２開口を有し、前記側面フレームの外側面に露出する他端と、
前記一端と前記他端とを連結し、前記第１開口を通じて挿入されたファスナが前記他端まで移動するように通路を提供する連結部とを含むことを特徴とする建築用組立パネル。
【請求項１４】
前記連結部は、
ファスナの方向を変わるためにラウンドの通路を有することを特徴とする請求項１３に記載の建築用組立パネル。
【請求項１５】
建築用組立パネルにおいて、
内装材が充填される内部空間を有するように前面板と、後面板と、前記前面板と後面板との間の側面を取り囲む側面フレームとを含む六面体形状のパネル胴部と、
前記前面板から前記側面フレームまでファスナが通過することができる通路を提供するために、前記パネル胴部内に設置されるファスナ締結用案内部材とを含むことを特徴とする建築用組立パネル。
【請求項１６】
第５項の建築用組立パネルの設置方法において、
第１開口と向き合う前記前面板にファスナが挿入されることができる大きさの第１貫通孔を形成する段階と、
前記ファスナを前記第１貫通孔を通じてファスナ締結用案内部材の第１開口に挿入する段階と、
フレキシブル工具を前記第１開口に挿入して前記ファスナを第２開口まで押し入れる段階と、
フレキシブル工具を回転させてファスナのネジ部を第２開口を通じて隣合う部材に締結する段階とを含むことを特徴とする建築用組立パネルの設置方法。
【発明の詳細な説明】
【技術分野】
【０００１】
本発明は、工場や倉庫などの壁体を構成する建築用組立式パネル及び設置方法に関するものである。
【背景技術】
【０００２】
一般的に、肉類及び肉加工、その他低温での保管の要する食品は、冷蔵、冷凍庫で保管するようになり、大型飲食店や中間流通業界では大型化された冷蔵、冷凍設備を具備するのが通常である。このような冷凍、冷蔵設備はその規模が大きくて、断熱パネルを縦横方向に連結して組立式で壁体を形成する。
【０００３】
このような建築用組立式パネルの相互結合は、側面を互いに密着させた後、レンチで一方パネルの係止用環を回転させて、他方パネルの固定ピンに係止されることによってなされる。
【０００４】
しかし、このような方法は、係止用環を回動させる過程でプラスチック圧出物である環が固定ピンに正確に係止されなければ、回動させる力によって環が破損される恐れがある。特に、係止用環と固定ピンの位置（高さ）が正確に一致しなければ、相互結合されないので、パネル製作時、係止用環と固定ピンの位置とを正確に設置するのに困難がある。
【発明の概要】
【発明が解決しようとする課題】
【０００５】
本発明の目的は、現場で簡便に設置することができる建築用組立式パネル及び設置方法を提供することにある。
【０００６】
また、本発明の目的は、製造が容易な建築用組立式パネルを提供することにある。
【０００７】
本発明の目的は、ここに制限されず、言及されないまた他の目的は、下の記載から当業者に明確に理解されることができる。
【課題を解決するための手段】
【０００８】
上述の課題を達成するための本発明の建築用組立パネルは、第１面と、前記第１面と平行でない第２面と、前記第１面から前記第２面にファスナが通過することができる通路を提供するファスナ締結用案内部材とを含む。
【０００９】
本発明の実施形態によると、前記ファスナ締結用案内部材は前記通路を有するパイプ形状の胴部を含み、前記胴部の一端は前記第１面と隣接して位置し、前記胴部の他端は前記第２面に隣接して位置し、前記胴部は前記一端と前記他端との間にラウンドの曲線部を有する。
【００１０】
本発明の実施形態によると、前記一端にはファスナが挿入されることができる大きさの第１開口が形成され、前記他端にはファスナのネジ部が通過するように前記第１開口より小さい第２開口が形成される。
【００１１】
本発明の実施形態によると、前記一端と前記他端は互いに垂直になる。
【００１２】
上述の課題を達成するために、建築用組立パネルは、内装材が充填される内部空間を有するように前面板と、後面板と、前記前面板と後面板との間の側面を取り囲む側面フレームと、前記内部空間に設置し、隣合うパネルとのファスナ締結のためのファスナ締結用案内部材とを含み、前記ファスナ締結用案内部材は前記前面板と隣接した一端にファスナ挿入のための第１開口が形成され、前記側面フレームと隣接した他端にファスナのネジ部が前記隣合うパネルに締結されるようにファスナのネジ部が貫通する第２開口が形成され、前記第１開口から前記第２開口までファスナの移動のための通路が形成される。
【００１３】
本発明の実施形態によると、前記ファスナ締結用案内部材は該断面がパイプ形状である。
【００１４】
本発明の実施形態によると、前記前面板は前記ファスナ締結用案内部材の一端と向き合う部分にファスナ挿入のための第１貫通口が形成され、前記側面フレームは前記ファスナ締結用案内部材の他端が外部に露出するように第２貫通口が形成される。
【００１５】
本発明の実施形態によると、前記ファスナ締結用案内部材は前記第２貫通口に挿入される挿入部と、前記側面フレームの内側面に面接するフランジとをさらに含む。
【００１６】
本発明の実施形態によると、前記ファスナは先が尖っているネジまたはボルトである。
【００１７】
本発明の実施形態によると、前記ファスナ締結用案内部材は前記一端と前記他端との間に曲線部分と直線部分とを含み、前記曲線部分は前記一端に近く提供され、前記直線部分は前記他端に近く提供される。
【００１８】
本発明の実施形態によると、前記直線部分に該当する通路は前記曲線部分に該当する通路より狭い。
【００１９】
上述の課題を達成するための建築用組立パネルは、第１貫通孔を有する前面板と、前記前面板と一定間隔離隔されて設置される後面板と、前記前面板と前記後面板の端を取り囲むように設置され、第２貫通孔を有する側面フレームと、前記第１貫通孔と前記第２貫通孔とを連結し、ファスナが通過する通路を有するファスナ締結用案内部材とを含む。
【００２０】
本発明の実施形態によると、前記ボルト締結用案内部材はファスナが投入される第１開口を有し、前記前面板に隣接して位置する一端と、ファスナのネジ部が通過する第２開口を有し、前記側面フレームの外側面に露出する他端と、前記一端と前記他端とを連結し、前記第１開口を通じて挿入されたファスナが前記他端まで移動するように通路を提供する連結部とを含む。
【００２１】
本発明の実施形態によると、前記連結部はファスナの方向を変わるためにラウンドの通路を有する。
【００２２】
上述の課題を達成するための建築用組立パネル設置方法は、第１開口と向き合う前記前面板にファスナが挿入される大きさの第１貫通孔を形成する段階と、前記ファスナを前記第１貫通孔を通じてファスナ締結用案内部材の第１開口に挿入する段階と、フレキシブル工具を前記第１開口に挿入し、前記ファスナを第２開口まで押し入れる段階と、フレキシブル工具を回転させ、ファスナのネジ部を第２開口を通じて隣合う部材に締結する段階とを含む。
【発明の効果】
【００２３】
本発明によると、ファスナ（ネジ）締結方式は、パネルの結合強度が高いだけでなく、締結位置を互いに合わせなくても、パネルの連結設置作業が可能である。特に、ファスナが外部に露出しないことによって、きれいな壁体を提供することができる。
【００２４】
また、本発明によると、既存の環締結方式に比べて製作単価が顕著に低減し、且つ製作性が容易である。
【図面の簡単な説明】
【００２５】
【図１】本発明の建築用組立パネルを示す斜視図である。
【図２】本発明の建築用組立パネルを示す分解斜視図である。
【図３】発明の建築用組立パネルが他のパネルに組み立てられた状態を示す腰部拡大断面図である。
【図４】ファスナ締結用案内部材の斜視図である。
【図５】ファスナ締結用案内部材の正面図である。
【図６】ファスナ締結用案内部材の断面図である。
【図７Ａ】組立パネルの設置過程を説明するための図である。
【図７Ｂ】組立パネルの設置過程を説明するための図である。
【図７Ｃ】組立パネルの設置過程を説明するための図である。
【発明を実施するための形態】
【００２６】
以下、添付の図面を参照して本発明の望ましい実施形態に係る建築用組立パネルを詳細に説明する。まず、各図面の構成要素に参照符号を付加することにおいて、同一の構成要素に対しては、たとえ他の図面上に表示されても、できるだけ同一の符号を有することに留意しなければならない。また、本発明の説明において、係わる公知構成または機能に対する具体的な説明が本発明の要旨を濁ごすことができると判断される場合には、その詳細の説明は省略する。
【００２７】
（実施例）
図１は、本発明の建築用組立パネルを示す斜視図である。図２は、本発明の建築用組立パネルを示す分解斜視図である。図３は、本発明の建築用組立パネルが他のパネルに組み立てられた状態を示す腰部拡大断面図である。
【００２８】
本発明に係る建築用組立パネル１は冷凍、冷蔵設備（倉庫）の壁体の形成に用いられる断熱パネルの以外にも事務室のパーティションのための仕切り用パネル、建築の内外将材として用いられる建築用パネルなどを含むことができる。
【００２９】
図１乃至図３を参照すると、建築用組立パネル１０（以下組立パネルという）は縦横方向に互いに連結されることによって、組立式による１つの壁体が作られる。
【００３０】
組立パネル１０は前面板１１０と、後面板１２０と、側面を取り囲む側面フレーム１３０と、該内部空間に充填される断熱材１４０（図５に示す）と、ファスナ締結用案内部材２００とを含む。勿論、断熱を要しない現場で用いられる組立パネルは断熱材を充填しない状態で製作する。（図２には図面の便宜上断熱材を省略した。）
ここで、断熱材１４０は発泡性ウレタンを用いることができ、断熱材１４０は前面板１１０、後面板１２０、及び側面フレーム１３０の結合によって作られる内部空間に注入される。勿論、ファスナ締結用案内部材２００は断熱材を注入する前に予め組立パネルの内部に設置される。
【００３１】
図３のように、組立パネルは隣合う側面フレーム１３０が密着された状態でファスナ締結用案内部材２００に挿入されたネジのようなファスナ２０によって相互締結される。ファスナ締結用案内部材２００は一定間隔で複数個設置されることができ、該設置位置は製作過程で任意設定及び変更可能である。
【００３２】
ファスナ締結用案内部材２００は一端２２０が前面板１１０に隣接して位置し、他端２３０が側面フレーム１３０に形成された第２貫通孔１３２（図６を参照）に位置する。前面板１１０にはファスナ締結用案内部材２００の一端２２０と向き合う位置に第１貫通孔１１２が形成されることができ、第１貫通孔１１２（図６を参照）は組立パネル製造工場で出荷時に形成するか、または組立パネルを施工する現場作業者が第２貫通孔１３２の位置とファスナ締結用案内部材２００の長さなどを計算して形成することもできる。
【００３３】
図示せずが、側面フレーム１３０はパネル１０が互いに連結されて１つの壁体が作られるように、雄雌結合のための凹（または凸）面を含むことができる。そして前面板１１０と後面板１２０は金属素材のプレートからなることができる。
【００３４】
図４は、ファスナ締結用案内部材の斜視図であり、図５は、ファスナ締結用案内部材の正面図であり、図６は、ファスナ締結用案内部材の断面図である。
【００３５】
図４乃至図６を参照すると、ファスナ締結用案内部材２００は隣合う組立パネルとのファスナ２０締結のためのものであり、ファスナ締結用案内部材２００は組立パネル１０の前面板１１０から側面フレーム１３０にファスナ２０を案内する通路が提供される。
【００３６】
ファスナ締結用案内部材２００の構成を具体的に説明すると、断面形状が円形である通路２４０を有するパイプ形状の胴部２１０からなり、胴部２１０の一端２２０は前面板１１０と隣接して位置し、胴部２１０の他端２３０は側面フレーム１３０に隣接して位置する。特に、胴部２１０の他端２３０は側面フレーム１３０に形成された第２貫通孔１３２に位置する。図面に示すように、胴部２１０の一端２２０と他端２３０は互いに垂直になる。
【００３７】
一方、胴部２１０の一端２２０にはファスナ２０を挿入することができる大きさの第１開口２２２が形成され、胴部２１０の他端２３０にはファスナ２０のネジ部２４が通過するように第１開口２２２より小さい第２開口２３２が形成される。そして、胴部２１０には第１開口２２２から第２開口２３２までファスナ２０の移動のための通路２４０が形成される。
【００３８】
ファスナ締結用案内部材２００の胴部２１０は一端２２０と他端２３０との間に直線部２１４とラウンドの曲線部２１２とを有する。曲線部２１２は一端２２０に近く提供され、直線部２１４は他端２３０に近く位置する。直線部２１４には直線通路２４４が提供され、曲線部２１２には曲線通路２４２が提供される。特に、直線部２１４に該当する通路２４４は曲線部２１２に該当する通路２４２より狭く形成されることによって、直線部２１４ではファスナ２０の位置ずれの発生が少ない。したがって、ファスナ２０のネジ部２４が第２開口２３２に容易に位置することができる。
【００３９】
参照として、本発明の組立パネル１０に用いられるファスナ２０は六角頭部２２とネジ部２４からなり、六角頭部２２には六角頭部２２より広い円板形のワッシャ部２６を有する。ワッシャ部２６は直線部２１４の直線通路２４４と略同一の直径を有するので、六角頭部２２が通路の内側面に接しない。したがって、フレキシブル工具３０（図７Ｃに示す）の六角溝があるソケット３２がファスナ２０の六角頭部２２に容易に結合することができる。
【００４０】
図４に表示された矢印のように、ファスナ締結用案内部材２００はファスナ２０が挿入される方向Ｘとファスナが締結される方向Ｙが異なるので、胴部２１０に曲線部２１２を有する。一方、胴部２１０は第２貫通口１３２に挿入される挿入部２３６と、側面フレーム１３０の内側面に面接するフランジ２３４とを有する。
【００４１】
図７Ａ乃至図７Ｃは、組立パネルの設置過程を説明するための図面である。参照として、本実施形態では電動方式のフレキシブル工具の使用を説明しているが、手動方式のフレキシブル工具を使用することもできる。
【００４２】
図７Ａ乃至図７Ｃに示すように、組立パネル１０の側面フレーム１３０を互いに相接した状態でドリル工具（図示せず）を利用して前面板１１０に第１貫通孔１１２を穿つ。そしてファスナ２０を第１貫通孔１１２を通じてファスナ締結用案内部材２００の第１開口２２２に押し入れる。そして、フレキシブル工具３０のソケット３２をファスナ締結用案内部材２００の通路２４０に押し入れれば、ソケット３２がファスナ２０を曲線通路２４２から直線通路２４４の先端まで移動させる。ファスナ２０が直線通路２４４に進入すれば、直線通路２４４の空間が狭くなるので、フレキシブル工具３０のソケット３２にファスナ２０の六角頭部２２が自然に嵌められ、結局、ファスナ２０のネジ部２４が直線通路２４４と水平に位置しながら第２開口２３２に挿入される。この状態でフレキシブル工具３０を作動すれば、駆動部３４の回転力がフレキシブルケーブル３６を通じてソケット３２に伝達されてソケット３２が回転し、したがって、ファスナ２０が回転しながら隣接した組立パネル１０の側面フレーム１３０を掘り下げながら締結される。最終的に、フレキシブル工具３０を除去し、第１貫通孔１１２にキャップ４００を嵌めこむ。
【００４３】
上述のように、本発明の組立パネル１０は以前の環方式ではなく、ファスナ（ネジ）締結方式として、パネルの結合強度が高く、且つ締結位置を互いに合わせなくてもパネルの連結設置作業が可能である。特に、ファスナが外部に露出しないことによって、きれいな壁体を提供することができる。
【００４４】
以上の説明は本発明の技術思想を例示的に説明したことに過ぎない。本発明が属する技術分野で通常の知識を持つ者であれば、本発明の本質的な特性から逸脱しない範囲内で多様な修正及び変形が可能である。したがって、本発明に開示された実施形態は本発明の技術思想を限定するためではなく、説明するためである。このような実施形態によって本発明の技術思想の範囲が限定されるのではない。本発明の保護範囲は下の請求範囲によって解釈されなければならず、それらと同等な範囲内にあるすべての技術思想は本発明の権利範囲に含まれると解釈されなければならない。
【符号の説明】
【００４５】
２００  ファスナ締結用案内部材
２１０  胴部
２２０  一端
２２２  第１開口
２３０  他端
２３２  第２開口
２４０  通路
【図１】
2010196465.tif 000003
【図２】
2010196465.tif 000004
【図３】
2010196465.tif 000005
【図４】
2010196465.tif 000006
【図５】
2010196465.tif 000007
【図６】
2010196465.tif 000008
【図７Ａ】
2010196465.tif 000009
【図７Ｂ】
2010196465.tif 000010
【図７Ｃ】
2010196465.tif 000011